(57)【要約】【課題】２つのコイルユニット間に位置ずれが生じた場合でも結合係数の低下を抑制する。【解決手段】送電装置は、厚さ方向から視て複数の角部４６を有する所定形状に形成される板状のフェライト２２と、フェライト２２における厚さ方向のいずれか一方の主表面に沿って、コイル線が主表面を通る巻回軸線の周囲を取り囲むように渦巻き状に配置される送電コイル１２とを備える。送電コイル１２は、角部４６において送電コイル１２の外周が角部よりも内側の位置になり、かつ、角部４６における送電コイル１２の内周と外周との間の第１コイル幅Ａが角部４６と異なる位置における送電コイル１２の内周と外周との間の第２コイル幅Ｂよりも長くなるように形成される。【選択図】図９
2020061517.tif 000002
【特許請求の範囲】
【請求項１】
厚さ方向から視て複数の角部を有する所定形状に形成される板状のフェライトと、
前記フェライトにおける前記厚さ方向のいずれか一方の主表面に沿って、コイル線が前記主表面を通る巻回軸線の周囲を取り囲むように渦巻き状に配置されるコイルとを備え、
前記コイルは、前記角部において前記コイルの外周が前記角部よりも内側の位置になり、かつ、前記角部における前記コイルの内周と外周との間の第１コイル幅が前記角部と異なる位置における前記コイルの内周と外周との間の第２コイル幅よりも長くなるように形成される、コイルユニット。
【請求項２】
前記コイルは、前記角部における隣接するコイル線間の距離が、前記角部と異なる位置における隣接するコイル線間の距離よりも長くなるように形成される、請求項１に記載のコイルユニット。
【請求項３】
前記コイルは、前記角部において隣接するコイル線同士が前記厚さ方向に重なることなく配置されるとともに、前記角部と異なる位置において隣接するコイル線同士が前記厚さ方向に重なるように配置されて形成される、請求項１に記載のコイルユニット。
【請求項４】
前記所定形状は、複数の前記角部のうちの隣接する前記角部間に形成される切欠部を有する、請求項１〜３のいずれかに記載のコイルユニット。
【発明の詳細な説明】
【技術分野】
【０００１】
本開示は、非接触での電力送電に用いるコイルユニットに関する。
【背景技術】
【０００２】
従来から２つのコイルユニット間において非接触で電力を送電する非接触電力送電システムが公知である。非接触での電力の送電に用いるコイルユニットとして、たとえば、コイルとフェライトとを積層した構造を有するコイルユニットが知られている。コイルは、たとえば、巻線を構成するコイル線が巻回軸線を取り囲むように複数回巻回して略多角形状に形成される。
【０００３】
このような構成を有するコイルユニットは、互いに対向する位置関係となる状態で送電を可能とする。たとえば、コイルユニットが送電コイルとして使用される場合には、コイルユニットに交流電力が供給されると、コイルユニットに交流電流が流れる。このとき、コイルユニットの周囲に磁束が形成される。すなわち、磁束は、コイルユニットの中央部から放射状に出射される。コイルユニットの中央部から出射される磁束はフェライトの外周端部に入射する。フェライトに入射した磁束は、フェライト内を流れ、コイルユニットの中央部に戻る。このようにして送電コイルの周囲に形成された磁束が受電コイルと鎖交することで、受電コイル内に受電電流が流れ、受電コイルが受電する。
【０００４】
このようなコイルユニットに関して、たとえば、特開２０１６−１０３５８９号公報（特許文献１）には、コイルの形状として、四角形状であり、内周側のコイル線から外周側のコイル線までの長さによって示されるコイル幅が全周で一定幅である場合を一例として開示され、さらに、フェライトの形状についても、たとえば、四角形状である場合を一例として開示されている。
【先行技術文献】
【特許文献】
【０００５】
【特許文献１】特開２０１６−１０３５８９号公報
【発明の概要】
【発明が解決しようとする課題】
【０００６】
しかしながら、このような構成を有するコイルユニット（たとえば、送電コイル）と、対向するコイルユニット（たとえば、受電コイル）との位置関係が、送電時の所定の相対位置（たとえば、送電コイルの巻回軸線と受電コイルの巻回軸線とが一致する位置）から、たとえば、略多角形状の各辺部分に沿った複数の方向のうちの２方向に同時に位置ずれが生じると、１方向に位置ずれが生じる場合よりも送電コイルと受電コイルとの間における結合係数が低下する場合がある。
【０００７】
本開示は、上述した課題を解決するためになされたものであって、その目的は、対向するコイルユニットとの間で位置ずれが生じる場合でも結合係数の低下を抑制するコイルユニットを提供することである。
【課題を解決するための手段】
【０００８】
本開示のある局面に係るコイルユニットは、厚さ方向から視て複数の角部を有する所定形状に形成される板状のフェライトと、フェライトにおける厚さ方向のいずれか一方の主表面に沿って、コイル線が主表面を通る巻回軸線の周囲を取り囲むように渦巻き状に配置されるコイルとを備える。コイルは、角部においてコイルの外周が角部よりも内側の位置になり、かつ、角部におけるコイルの内周と外周との間の第１コイル幅が角部と異なる位置におけるコイルの内周と外周との間の第２コイル幅よりも長くなるように形成される。
【０００９】
このようにすると、コイルが、複数の角部における第１コイル幅を角部と異なる位置における第２コイル幅よりも長くなるように形成されることにより、たとえば、２つのコイルユニット間の位置関係が送電時の所定の相対位置から位置ずれが生じて、一方のコイルユニットのフェライトの角部だけが他方のコイルユニットに対向する位置になる場合でも、角部における磁束量を多くすることができるため、結合係数が低下することを抑制することができる。
【００１０】
好ましくは、コイルは、角部における隣接するコイル線間の距離が、角部と異なる位置における隣接するコイル線間の距離よりも長くなるように形成される。
【００１１】
このようにすると、第１コイル幅を第２コイル幅よりも長くすることができる。
さらに好ましくは、コイルは、角部において隣接するコイル線同士が厚さ方向に重なることなく配置されるとともに、角部と異なる位置において隣接するコイル線同士が厚さ方向に重なるように配置されて形成される。
【００１２】
このようにすると、第１コイル幅を第２コイル幅よりも長くすることができる。
さらに好ましくは、所定形状は、複数の角部のうちの隣接する角部間に形成される切欠部を有する。
【００１３】
このようにすると、フェライトの使用量を低減することができるため、製造コストの低減が図れる。
【発明の効果】
【００１４】
本開示によると、対向するコイルユニットとの間で位置ずれが生じる場合でも結合係数の低下を抑制するコイルユニットを提供することができる。
【図面の簡単な説明】
【００１５】
【図１】非接触充電システム１を示す模式図である。
【図２】非接触充電システム１を模式的に示す回路図である。
【図３】送電装置３を示す斜視図である。
【図４】送電装置３を示す分解斜視図である。
【図５】図４に示す観察位置２９から視た送電コイル１２およびフェライト２２の構成の一例を示す平面図である。
【図６】簡略化して示した送電コイル１２およびフェライト２２の構成の一例を示す平面図である。
【図７】送電装置３と受電装置４との間で形成される磁気経路ＭＰ１を説明するための断面図である。
【図８】位置ずれした状態における送電コイル１２と受電コイル８との相対位置関係の一例を示す図である。
【図９】本実施の形態における送電コイル１２とフェライト２２の構成の一例を示す平面図である。
【図１０】フェライト２２の角部４６付近の送電コイル１２の構成を示す図である。
【図１１】コイル幅を全周に亘って一定のコイル幅Ｂとする比較例における送電コイル１２とフェライト２２の構成の一例を示す平面図である。
【図１２】比較例と本実施の形態における送電コイル１２と受電コイル８との間における位置ずれによる結合係数の変化を説明するための図である。
【図１３】変形例における送電コイル１２とフェライト２２の構成の一例を示す平面図である。
【図１４】変形例におけるフェライト２２の角部４６付近の送電コイル１２の構成を示す図である。
【発明を実施するための形態】
【００１６】
以下、本開示の実施の形態について、図面を参照しながら詳細に説明する。なお、図中同一または相当部分には同一符号を付してその説明は繰り返さない。
【００１７】
図１は、非接触充電システム１を示す模式図である。図２は、非接触充電システム１を模式的に示す回路図である。非接触充電システム１は、２つのコイルユニットを含む。以下の説明において２つのコイルユニットのうちの電源１０に接続されたコイルユニットを送電装置３と記載し、車両２に設けられるコイルユニットを受電装置４と記載するものとする。車両２は、受電装置４に加えてバッテリ７をさらに含む。
【００１８】
受電装置４は、共振器５と、共振器５が受電した交流電力を直流電力に変換してバッテリ７に供給する整流器６とを含む。
【００１９】
共振器５は、ＬＣ共振器であり、整流器６に接続された受電コイル８およびコンデンサ９を含む。共振器５の共振強度を示すＱ値は１００以上であることが好ましい。
【００２０】
送電装置３は、共振器１４と、電源１０に接続された変換器１１とを含む。変換器１１は、電源１０から供給される交流電力の周波数および電圧を調整して、共振器１４に供給する。共振器１４は、ＬＣ共振器であり、共振器１４に接続された送電コイル１２およびコンデンサ１３を含む。共振器１４のＱ値も１００以上であることが好ましい。なお、共振器１４の共振周波数と、共振器５の共振周波数とは、実質的に一致している。
【００２１】
なお、図１において「Ｕ」とは上方向Ｕを示し、「Ｄ」とは下方向Ｄを示す。「Ｆ」とは、前方向Ｆを示し、「Ｂ」とは後方向Ｂを示す。「Ｌ」とは、左方向Ｌを示す。なお、図２以降において示す「Ｒ」とは右方向Ｒを示す。
【００２２】
次に、図３および図４を用いて、送電装置３の構成の一例について説明する。なお、受電装置４の構成は、送電装置３の構成と比較して、基本的な回路構成は同様である。そのため、受電装置４の構成についての詳細な説明は行なわない。
【００２３】
図３は、送電装置３を示す斜視図である。図４は、送電装置３を示す分解斜視図である。図３および図４に示すように、送電装置３は、筐体２０と、支持板２１と、フェライト２２と、ボビン２３とを含む。筐体２０は、金属製のベース板２５と、ベース板２５の上面を覆うように配置された樹脂蓋２４とを含む。筐体２０は、変換器１１と、送電コイル１２と、コンデンサ１３と、支持板２１と、フェライト２２と、ボビン２３とを収容する。
【００２４】
具体的には、ベース板２５の上面には複数の支持壁２６が形成されており、支持壁２６上に金属製の支持板２１が配置されている。
【００２５】
支持壁２６によって、支持板２１とベース板２５との間には、空間が形成されており、支持板２１およびベース板２５の間に変換器１１およびコンデンサ１３が配置されている。
【００２６】
支持板２１は、金属材料（たとえば、アルミ等）によって形成されており、平板状に形成されている金属板である。支持板２１の中央部には、上方に向けて突出する凸部２７が形成されている。
【００２７】
フェライト２２は、凸部２７の周囲を取り囲むように、支持板２１の上面に配置されている。フェライト２２は、板状に形成されている磁性材料である。フェライト２２は、フェライト２２の厚さ方向に配列する上面（第１主表面）３５および下面（第２主表面）３６を含む。上面３５には、コイル線が上面３５に沿って渦巻き状に送電コイル１２が配置されている。送電コイル１２は、ボビン２３によって筐体２０内での位置が固定される。
【００２８】
ボビン２３は、樹脂などの絶縁材料によって形成されており、板状に形成されている。ボビン２３の上面３８には、螺旋状に延びるコイル溝２８が形成されており、送電コイル１２がこのコイル溝２８内に収容されている。
【００２９】
樹脂蓋２４は、樹脂材料によって形成されており、送電コイル１２の周囲に形成される磁束が通過可能な材料によって形成されている。
【００３０】
図５は、図４に示す観察位置２９から視た送電コイル１２およびフェライト２２の構成の一例を示す平面図である。この図５に示すように、送電コイル１２は、巻回軸線Ｏ１の周囲を取り囲むように形成されている。なお、巻回軸線Ｏ１は、この図５に示す例においては、板状に形成されたフェライト２２の厚さ方向に延びている。
【００３１】
なお、本実施の形態において、巻回軸線Ｏ１は、送電コイル１２の外周縁部の中心に位置している場合を一例として説明するが、送電コイル１２は、中空部３７内を通る軸線の周囲を取り囲むように形成されていればよく、巻回軸線Ｏ１と、送電コイル１２の外周縁部の中心とが一致していなくてもよい。
【００３２】
送電コイル１２は、内周側のコイル線端部３０および外周側のコイル線端部３１を含む。内周側のコイル線端部３０には、コンデンサ１３に接続された引出線３２が接続されており、外周側のコイル線端部３１には、変換器１１に接続された引出線３３が接続されている。
【００３３】
送電コイル１２は、内周側のコイル線端部３０から外周側のコイル線端部３１に向けて巻数が増えるにつれて、巻回軸線Ｏ１からの距離が大きくなるように形成されている。
【００３４】
送電コイル１２の外周縁部は、複数の曲げ部４０と、隣り合う曲げ部４０同士を接続する辺部４１とを含む。
【００３５】
このように、送電コイル１２は、角部が湾曲形状とされた多角形状の渦巻き型コイルであり、送電コイル１２の中央部には、中空部３７が形成されている。
【００３６】
図６は、簡略化して示した送電コイル１２およびフェライト２２の構成の一例を示す平面図である。図６に示すように、フェライト２２の外周縁部は略多角形状である。フェライト２２は、複数の角部４６を含む。図６においては、フェライト２２が４つの角部４６を有する場合を一例として示している。角部４６は、送電コイル１２の曲げ部４０よりも外方に張り出している。
【００３７】
フェライト２２の外周縁部には、複数の切欠部４２が形成されている。切欠部４２は、フェライト２２の角部４６の間に位置されている。送電コイル１２およびフェライト２２を観察位置２９から（すなわち、フェライト２２の厚さ方向から）視たときに、切欠部４２と送電コイル１２とが重なりあうように、切欠部４２が形成されている。そして、切欠部４２は、隣り合う曲げ部４０の間の中央部分と重なり合う位置に形成されており、この図６に示す例においては、切欠部４２は、辺部４１の中央部４８と重なりあうように形成されている。このように、フェライト２２には、複数の切欠部４２が形成されているため、切欠部４２が形成されていないフェライト２２と比較すると、必要となるフェライト材料が少ない。その結果、当該フェライト２２の製造コストの低減が図られている。
【００３８】
送電コイル１２の周方向における、フェライト２２の切欠部４２の幅Ｗ１は、送電コイル１２の中空部３７から離れるにつれて、大きくなるように形成されている。
【００３９】
フェライト２２の中央部には、穴部４３が形成されており、穴部４３から放射状に空隙部４４ａ，４４ｂが延びている。穴部４３は、中空部３７内に位置している。
【００４０】
空隙部４４ａ，４４ｂは、巻回軸線Ｏ１を中心として放射状に延びている。空隙部４４ａは、角部４６に達しており、空隙部４４ｂは、切欠部４２に接続されている。
【００４１】
フェライト２２は、送電コイル１２の周方向に間隔をあけて配置された複数の分割フェライト４５を含む。各分割フェライト４５は、送電コイル１２の外周縁部から送電コイル１２の中空部３７内に達するような長尺に形成されている。
【００４２】
送電コイル１２の周方向に隣り合う分割フェライト４５が間隔をあけて配置されることで、空隙部４４ａおよび空隙部４４ｂが形成されている。
【００４３】
分割フェライト４５の外周縁部は、外周辺５０と、内周辺５１と、斜辺５２と、短辺５３と、切欠辺５４とを含む。隣り合う２つの分割フェライトは、対向する短辺５３の間を通る中心線（図示せず）に対して対称となるように配置される。
【００４４】
外周辺５０は、フェライト２２の外周縁部に位置している。内周辺５１は、穴部４３の内周縁部の一部を形成する。斜辺５２は、外周辺５０の一端と内周辺５１の一端とを接続する。切欠辺５４は、切欠部４２の内周縁部の一部を形成する。切欠辺５４の一端は、外周辺５０の他端に接続されている。短辺５３は、切欠辺５４の他端と内周辺５１の他端を接続する。
【００４５】
空隙部４４ａは、隣り合う分割フェライト４５の斜辺５２によって形成されている。斜辺５２は、巻回軸線Ｏ１から角部４６に向かう仮想線（図示せず）と平行になるように形成されている。空隙部４４ｂは、隣り合う分割フェライト４５の短辺５３によって形成されている。短辺５３は、巻回軸線Ｏ１から辺部４１の中央部４８に向かう仮想線（図示せず）と平行になるように形成されている。
【００４６】
そして、空隙部４４ａを間に挟んで隣り合う分割フェライト４５の外周辺５０によって角部４６が形成されている。空隙部４４ｂを挟んで隣り合う分割フェライト４５の切欠辺５４によって切欠部４２が形成されている。
【００４７】
また、送電コイル１２の周方向に配列する分割フェライト４５の内周辺５１によって、穴部４３が形成されている。
【００４８】
外周辺５０は、角部４６の先端部側においても、直線状に延びる一方で、送電コイル１２の曲げ部４０は湾曲している。このため、角部４６は、送電コイル１２よりも外方に突出するように形成されている。
【００４９】
以上のような構成を有する送電装置３から受電装置４に非接触で送電する際には、送電コイル１２の上方に受電コイル８が配置され、２つのコイルユニットが互いに対向する位置関係となる状態で行なわれる。送電コイル１２および受電コイル８が所定の相対位置に正確に位置合わせされたときには、送電装置３の巻回軸線Ｏ１と受電装置４の巻回軸線Ｏ１とが一致した状態になる。
【００５０】
そして、図１において、変換器１１が共振器１４に所定の周波数の交流電力を供給し、送電コイル１２に交流電流が流れる。送電コイル１２を流れる交流電流の周波数は、たとえば、共振器１４の共振周波数とされる。
【００５１】
送電コイル１２に交流電流が流れると、送電コイル１２の周囲に磁束が形成される。送電コイル１２に供給される交流電流の周波数が、共振器の共振周波数であるときには、送電コイル１２の周囲に形成される磁界の周波数も、共振器１４の共振周波数となる。
【００５２】
送電コイル１２の周囲に形成される磁束は、巻回軸線Ｏ１およびその周囲から放射状に射出される。
【００５３】
そして、送電コイル１２からの磁束が受電コイル８と鎖交することで、受電コイル８に誘起起電圧が生じる。これにより、受電コイル８にも交流電流が流れることによって送電コイル１２から受電コイル８に交流電力が供給されることになる。
【００５４】
以下に、送電コイル１２の周囲に形成される磁束に基づく、巻回軸線Ｏ１およびその近傍からフェライト２２の外周縁部に向けて進む磁気経路ＭＰ１について説明する。
【００５５】
図７は、送電装置３と受電装置４との間で形成される磁気経路ＭＰ１を説明するための断面図である。図７に示すように、巻回軸線Ｏ１およびその近傍に形成される磁束は、巻回軸線Ｏ１およびその近傍から送電コイル１２の上方を通過してフェライト２２の外周縁部である外周辺５０に向けて流れ、外周辺５０からフェライト２２に入射する。外周辺５０から入射した磁束は、フェライト２２内を通り、再度、巻回軸線Ｏ１およびその近傍に戻る。これにより、磁気経路ＭＰ１が形成される。
【００５６】
図７において、磁気経路ＭＰ１の径を径Ｒ１とする。磁束が磁気経路ＭＰ１を通るときには、送電コイル１２に近い位置を通る磁束もあれば、送電コイル１２から離れた位置を通る磁束もあるが、図７において、磁気経路ＭＰ１の経路の径Ｒ１とは、磁気経路ＭＰ１を通る磁束の磁束密度が平均となる経路と送電コイル１２との間の距離のうちの最大値を示すものとする。
【００５７】
磁気経路ＭＰ１の一部の経路が受電装置４の受電コイル８に鎖交することによって電力の伝送が実現される。
【００５８】
以上のような構成を有する送電コイル１２において、対向する受電コイル８との位置関係が、送電時の所定の相対位置（たとえば、送電コイル１２の巻回軸線Ｏ１と受電コイル８の巻回軸線Ｏ１とが一致する位置）から、たとえば、略多角形状の各辺部分に沿った複数の方向のうちの２方向に同時に位置ずれが生じると、送電コイル１２と受電コイル８との間で、結合係数が低下する場合がある。
【００５９】
図８は、位置ずれした状態における送電コイル１２と受電コイル８との相対位置関係の一例を示す図である。図８の実線枠が送電コイル１２を示し、図８の破線枠が受電コイル８を示す。図８に示すように、送電コイル１２の四角形状の各辺に沿った２方向（Ｆ−Ｂ方向およびＬ−Ｒ方向）に同時に位置ずれが生じると、観察位置２９から視て、受電コイル８と送電コイル１２とが重複する領域の面積が小さくなる。そのため、送電コイル１２と受電コイル８との間で鎖交する磁束量が、巻回軸線Ｏ１が一致する相対位置である場合と比較して減少する。その結果、結合係数が低下することになる。特に、２方向に同時に位置ずれが生じると、観察位置２９から視て、送電コイル１２の４つの角部４６のうちの１つのみが受電コイル８と重複する位置関係になるため、複数の方向のうちの１方向に位置ずれが生じた場合よりも結合係数が低下する場合がある。
【００６０】
そこで、本実施の形態においては、フェライト２２の角部４６における送電コイル１２の内周と外周との間の第１コイル幅が角部４６と異なる位置における送電コイル１２の内周と外周との間の第２コイル幅よりも長くなるように形成されるものとする。
【００６１】
図９は、本実施の形態における送電コイル１２とフェライト２２の構成の一例を示す平面図である。図９に示すように、送電コイル１２は、フェライト２２の角部４６における第１コイル幅Ａがフェライト２２の角部４６と異なる位置における送電コイル１２の第２コイル幅Ｂよりも長くなるように形成される。
【００６２】
なお、第１コイル幅Ａは、たとえば、巻回軸線Ｏ１から角部４６の先端部分までの長さの半分よりも大きい長さを有することが好ましい。
【００６３】
図１０は、フェライト２２の角部４６付近の送電コイル１２の構成を示す図である。図１０に示すように、送電コイル１２は、フェライト２２の角部４６において隣接するコイル線間の距離Ｃが、角部４６と異なる位置における隣接するコイル線間の距離Ｄよりも長くなるように形成される。このように隣接するコイル線間の距離の調整によって第１コイル幅Ａを第２コイル幅Ｂよりも長くすることができる。
【００６４】
以上のような構成を有する本実施の形態における送電コイル１２の構成による作用について図１１に示す比較例と比較しつつ説明する。
【００６５】
たとえば、図８に示したように、２方向（Ｆ−Ｂ方向およびＬ−Ｒ方向）に送電コイル１２と受電コイル８とが同時に位置ずれが生じた場合を想定する。送電コイル１２と受電コイル８とがこのような相対位置関係にある場合には、互いのフェライト２２の角部４６が対向する位置関係になる。そのため、このような相対位置関係となる場合の送電コイル１２から受電コイル８への送電時においては、送電コイル１２のフェライト２２の角部４６と、受電コイル８のフェライト２２の角部４６との間で鎖交する磁束量が結合係数に大きく影響することになる。
【００６６】
たとえば、比較例として、送電コイル１２のコイル幅が、引出線と接続される部分などの一部分を除いて、全周に亘って一定幅である場合を想定する。
【００６７】
図１１は、コイル幅を全周に亘って一定のコイル幅Ｂとする比較例における送電コイル１２とフェライト２２の構成の一例を示す平面図である。比較例における送電コイル１２は、たとえば、隣接するコイル線間の距離を全周に亘って一定幅にすることによって、コイル幅を全周に亘って一定幅とするものである。
【００６８】
図８に示すように２方向に同時に位置ずれが生じた場合に、図９に示す本実施の形態における送電コイル１２の場合も、図１１に示す比較例における送電コイル１２の場合も、フェライト２２の角部４６同士が観察位置２９から視て対向する位置関係となる。
【００６９】
第１コイル幅Ａが第２コイル幅Ｂよりも長いことによって本実施の形態における送電コイル１２の角部４６付近に形成される磁気経路ＭＰ１の径Ｒ１は、比較例における送電コイル１２の角部４６付近において形成される磁気経路ＭＰ１の径Ｒ１よりも大きくなる。そのため、本実施の形態における送電コイル１２に形成される磁気経路ＭＰ１の方が受電コイル８と鎖交しやすくなる。これにより、本実施の形態における送電コイル１２と受電コイル８と間で鎖交する磁束量は、比較例における送電コイル１２と受電コイル８と間で鎖交する磁束量よりも多くなる。その結果、本実施の形態における送電コイル１２と受電コイル８との間における位置ずれによる結合係数の低下量は、比較例における送電コイル１２と受電コイル８との間における位置ずれによる結合係数の低下量よりも少なくなる。
【００７０】
図１２は、比較例と本実施の形態における送電コイル１２と受電コイル８との間における位置ずれによる結合係数の変化を説明するための図である。
【００７１】
送電コイル１２と受電コイル８との間で位置ずれが発生しない場合（すなわち、送電コイル１２と受電コイル８との間で巻回軸線Ｏ１が一致している場合）、結合係数Ｋの値がＫａである場合を想定する。
【００７２】
この場合、図１１に示したように、送電コイル１２のコイル幅が一定のコイル幅Ｂである場合、図８に示したように送電コイル１２と受電コイル８との間で２方向の同時位置ずれが発生すると、送電コイル１２と受電コイル８との間における結合係数Ｋの値がＫｂまで低下する。
【００７３】
一方、図９に示したように、送電コイル１２の角部４６における第１コイル幅Ａが角部４６以外の位置における第２コイル幅Ｂよりも大きくする場合（すなわち、角部４６のコイル幅を拡張する場合）、図８に示したように送電コイル１２と受電コイル８との間で２方向の同時位置ずれが発生すると、送電コイル１２と受電コイル８との間における結合係数Ｋの値は、Ｋｂよりも大きいＫｃまで低下することになる。すなわち、第１コイル幅Ａを第２コイル幅Ｂよりも大きくすることにより、コイル幅を一定のコイル幅Ｂとする場合よりも結合係数の低下が抑制される。
【００７４】
以上のようにして、本実施の形態に係るコイルユニットによると、フェライト２２の角部４６における第１コイル幅Ａを角部４６と異なる位置における第２コイル幅Ｂよりも長くなるように送電コイル１２が形成されることにより、送電コイル１２と受電コイル８とが巻回軸線Ｏ１が一致する位置から２方向に同時に位置ずれが生じた場合でも角部４６における磁束量を多くすることができるため、結合係数の低下を抑制することができる。したがって、対向するコイルユニットとの間で位置ずれが生じる場合でも結合係数の低下を抑制するコイルユニットを提供することができる。
【００７５】
さらに、送電コイル１２は、フェライト２２の角部４６において隣接するコイル線間の距離が、角部４６と異なる位置において隣接するコイル線間の距離よりも長くなるように形成されるため、第１コイル幅を第２コイル幅よりも長くすることができる。
【００７６】
以下、変形例について記載する。
上述の実施の形態では、送電コイル１２の第１コイル幅Ａを第２コイル幅Ｂよりも大きくする場合を一例として説明したが、たとえば、送電コイル１２に加えて、または、代えて、受電コイル８の第１コイル幅Ａを第２コイル幅Ｂよりも大きくするようにしてもよい。
【００７７】
さらに上述の実施の形態では、図９に示したように、送電コイル１２の内周形状を円形形状にすることにより、第１コイル幅Ａを第２コイル幅Ｂよりも大きくするものとして説明したが、たとえば、図１３に示すように、送電コイル１２の内周形状をひし形形状にすることにより、第１コイル幅Ａを第２コイル幅Ｂよりも大きくしてもよい。図１３は、変形例における送電コイル１２とフェライト２２の構成の一例を示す平面図である。
【００７８】
さらに上述の実施の形態では、角部４６における隣接するコイル線間の距離が、角部４６と異なる位置における隣接するコイル線間の距離よりも長くするように形成することによって、第１コイル幅Ａを第２コイル幅Ｂよりも大きくする構成を一例として説明したが、たとえば、図１４に示すように、送電コイル１２は、角部４６において隣接するコイル線６０同士が厚さ方向に重なることなく配置されるとともに、角部と異なる位置（たとえば、辺部）において隣接するコイル線６０同士が厚さ方向に重なるように配置されて形成されるようにしてもよい。図１４は、変形例におけるフェライト２２の角部４６付近の送電コイル１２の構成を示す図である。このようにしても、第１コイル幅Ａを第２コイル幅Ｂよりも長くすることができる。
【００７９】
なお、上記した変形例は、その全部または一部を適宜組み合わせて実施してもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
１  非接触充電システム、２  車両、３  送電装置、４  受電装置、５，１４  共振器、６  整流器、７  バッテリ、８  受電コイル、９，１３  コンデンサ、１０  電源、１１  変換器、１２  送電コイル、２０  筐体、２１  支持板、２２  フェライト、２３  ボビン、２４  樹脂蓋、２５  ベース板、２６  支持壁、２７  凸部、２８  コイル溝、２９  観察位置、３０，３１  コイル線端部、３２，３３  引出線、３５，３８  上面、３７  中空部、４０  曲げ部、４１  辺部、４２  切欠部、４３  穴部、４４ａ，４４ｂ  空隙部、４５  分割フェライト、４６  角部、４８  中央部、５０  外周辺、５１  内周辺、５２  斜辺、５３  短辺、５４  切欠辺。
【図１】
2020061517.tif 000003
【図２】
2020061517.tif 000004
【図３】
2020061517.tif 000005
【図４】
2020061517.tif 000006
【図５】
2020061517.tif 000007
【図６】
2020061517.tif 000008
【図７】
2020061517.tif 000009
【図８】
2020061517.tif 000010
【図９】
2020061517.tif 000011
【図１０】
2020061517.tif 000012
【図１１】
2020061517.tif 000013
【図１２】
2020061517.tif 000014
【図１３】
2020061517.tif 000015
【図１４】
2020061517.tif 000016